(57)【要約】【課題】Ｐ２Ｐネットワークを利用して、動物オーナー事業等に、映像コンテンツ配信による付加価値を与える映像配信サービス・システムを提供する。【解決手段】ユーザ端末１Ａ，１Ｂと、このユーザ端末にＰ２Ｐネットワーク４を介して接続可能な配信者端末２と、この配信者端末に無線ＬＡＮ５を介して接続できるＷｅｂカメラ３ａ，３ｂとで構成され、Ｗｅｂカメラは、無線ＬＡＮを介して配信者端末に映像データを送信する機能を有し、配信者端末は、その映像データをＰ２Ｐネットワークを介してユーザ端末に配信する機能を有し、Ｗｅｂカメラは、動物の飼育舎の中に設置され、その飼育舎内の映像データを配信者端末に送信する。【選択図】図１
2007259081.tif 000002
【特許請求の範囲】
【請求項１】
ユーザ端末と、
このユーザ端末にＰ２Ｐネットワークを介して接続可能な配信者端末と、
この配信者端末に無線ＬＡＮを介して接続できるＷｅｂカメラとを備え、
前記Ｗｅｂカメラは、無線ＬＡＮを介して前記配信者端末に映像データを送信する機能を有し、
前記配信者端末は、その映像データを前記Ｐ２Ｐネットワークを介して前記ユーザ端末に配信する機能を有することを特徴とするＰ２Ｐネットワークを利用した映像配信サービス・システム。
【請求項２】
前記Ｗｅｂカメラは、動物の飼育舎の中に設置され、その飼育舎内の映像データを前記配信者端末に送信することを特徴とする請求項１に記載のＰ２Ｐネットワークを利用した映像配信サービス・システム。
【請求項３】
前記Ｐ２Ｐネットワークは、分散ハッシュテーブルを利用して、サーバを介さずに端末同士で情報交換することを特徴とする請求項１に記載のＰ２Ｐネットワークを利用した映像配信サービス・システム。
【請求項４】
ユーザ端末と、このユーザ端末にＰ２Ｐネットワークを介して接続可能な配信者端末と、この配信者端末に無線ＬＡＮを介して接続できるＷｅｂカメラとを備えたシステムにおける映像配信サービス方法であって、
前記Ｗｅｂカメラが、無線ＬＡＮを介して前記配信者端末に映像データを送信し、
前記配信者端末が、その映像データを前記Ｐ２Ｐネットワークを介して前記ユーザ端末に配信することを特徴とするＰ２Ｐネットワークを利用した映像配信サービス方法。
【請求項５】
前記Ｗｅｂカメラを、動物の飼育舎の中に設置し、その飼育舎内の映像データを前記配信者端末に送信することを特徴とする請求項４に記載のＰ２Ｐネットワークを利用した映像配信サービス方法。
【請求項６】
前記Ｐ２Ｐネットワークが、分散ハッシュテーブルを利用して、サーバを介さずに端末同士で情報交換することを特徴とする請求項４に記載のＰ２Ｐネットワークを利用した映像配信サービス方法。
【発明の詳細な説明】
【技術分野】
【０００１】
本発明は、動物園等での動物共同オーナー事業の提供に好適なＰ２Ｐネットワークを利用した映像配信サービス・システムに関する。
【背景技術】
【０００２】
近年、世界各国で急速に普及したファイル交換ソフトがＰ２Ｐの代名詞のような存在になり、非常に多くの利用者がおり、既にネット上を流れるトラフィックの6割以上がＰ２Ｐ通信に使われている。その一方で、著作権を無視した違法コピーや不法コンテンツの流通が社会問題になっている（例えば、非特許文献１参照）。
【０００３】
また、高価あるいは飼育が難しい生物であったり、生育環境が整っていない、生育する時間的余裕がない等の事情により、生育を諦めていた生物愛好者であっても、その生物の所有を複数ユーザによる共同所有という形式で実現する共同所有の斡旋サービスと、各共同所有者がその生物を実際に生育しなくとも、その生育状況をユーザに報告する報告サービスをネットワーク利用により実現する共同所有管理システムがある（例えば、特許文献１参照）。
【非特許文献１】インターネット＜http://www.nec.co.jp/press/ja/0501/0402.html＞
【特許文献１】特開２００２−１３２９０４号公報
【発明の開示】
【発明が解決しようとする課題】
【０００４】
しかしながら、従来の動物オーナー事業においては、年に数度の成育情報などが与えられるが、リアルタイムの映像が見られないという問題があった。また、動物園などの会員サービスは来園特典（入園料の割引等）に限られるため、遠隔地の会員を集めにくいという問題があった。
【０００５】
そこで本発明は、著作権を保護してコンテンツ交換や流通経路の特定が可能なＰ２ＰＷｅｂ（日本電気株式会社の商標）を利用して、動物オーナー事業等に、映像コンテンツ配信による付加価値を与えるＰ２Ｐネットワークを利用した映像配信サービス・システム及び方法を提供することを目的とする。
【課題を解決するための手段】
【０００６】
上述の課題を解決するため、本発明は、ユーザ端末と、このユーザ端末にＰ２Ｐネットワークを介して接続可能な配信者端末と、この配信者端末に無線ＬＡＮを介して接続できるＷｅｂカメラとを備え、前記Ｗｅｂカメラは、無線ＬＡＮを介して前記配信者端末に映像データを送信する機能を有し、前記配信者端末は、その映像データを前記Ｐ２Ｐネットワークを介して前記ユーザ端末に配信する機能を有し、前記Ｗｅｂカメラは、動物の飼育舎の中に設置され、その飼育舎内の映像データを前記配信者端末に送信することを特徴とする。
【０００７】
以上の構成によって、Ｐ２Ｐ技術を用いた情報流通プラットフォームを利用して会員向けにリアルタイムの映像コンテンツ配信を行うことにより、動物園等での動物オーナー事業を支援できる。
【発明の効果】
【０００８】
本発明による第1の効果は、オーナー会員の満足度向上である。野生動物のオーナー気分になり、いつでも所有する動物の映像（時には普段は見られない出産シーンなどの貴重な映像も）が見られるからである。また、動物愛護の精神が芽生え、それを実感することができる。
【０００９】
第2の効果は、動物園の収益向上である。会員向け映像配信サービスを提供することにより遠隔地にすむ会員などを集めることができるので、従来より多くの会費収入を得ることができる。また、映像だけでは飽き足らなくなった会員の来園も期待できる。
【発明を実施するための最良の形態】
【００１０】
次に、本発明の最良の形態について図面を参照して説明する。
【００１１】
図１は、本発明のシステム構成を示す。動物のオーナー会員登録をしたユーザＡ，Ｂの所有するユーザ端末１Ａ，１Ｂと、このユーザ端末１Ａ，１ＢにＰ２Ｐネットワーク４を介して接続可能な、飼育係が管理する配信者端末２と、この配信者端末２に無線ＬＡＮ５を介して接続できるＷｅｂカメラ３ａ，３ｂとで構成される。
【００１２】
ユーザ端末１Ａ，１Ｂと、配信者端末２は、パーソナルコンピュータ等の情報処理装置にＰ２Ｐ接続を利用するためのプログラムがインストールされている。
【００１３】
Ｗｅｂカメラ３ａ，３ｂは、無線ＬＡＮ５を介して配信者端末２に映像データを送信する機能を有する。配信者端末２は、その映像データをＰ２Ｐネットワーク４を介してユーザ端末１に配信する機能と、Ｗｅｂカメラ３ａ，３ｂをリモートコントロールする機能を有する。
【００１４】
動物園内には無線ＬＡＮのホットスポットが配置されている。Ｗｅｂカメラ３ａ，３ｂは、動物オーナー会員登録の対象となる動物ａ，ｂの各飼育舎の中に設置され、それらの飼育舎内の映像データを無線ＬＡＮ５を介して配信者端末２に送信する。無線ＬＡＮを用いることでＷｅｂカメラを設置する際に配線の必要が無いので、神経質な動物の飼育舎内にもＷｅｂカメラの設置が可能となる。
【００１５】
Ｐ２Ｐネットワーク４は、分散ハッシュテーブル（ＤＨＴ）を利用して、サーバを介さずに端末同士で情報交換できる。ＤＨＴ技術でコンテンツ所在情報などの情報を完全に分散管理し、サーバを全く介さずにコンテンツをやりとりすることができ、これまで大規模なコンテンツ配信を行う際に問題となっていたサーバのボトルネックを解消することができる。また、利用者数やコンテンツの増加に応じてサーバ、ストレージ、ネットワークなどを増設したりする必要がなくなるため、収益見通しが不透明なサービスでも少額投資で開始することができるようになる。
【００１６】
また、本プラットフォームにより、さまざまなコミュニティの形成と情報交換が簡単に実現でき、ネットを利用する個人から従来以上に安全・安心な情報発信が可能となる。アクセス制御を行うことにより、オープンなネットワーク上にメンバーが限定されたユーザグループを作成することができ、グループ内に閉じたコミュニケーションやグループをまたがった情報交換などが自由に行えるようになる。このアクセス制御は、暗号技術のみで実現しており、グループ管理サーバ等を立てる必要がないため、簡単に導入することができる。また、ＤＲＭを利用したトレーサビリティ技術でコンテンツの流通経路を制御し、もれなく把握することで、コンテンツ流通・利用状況の調査や、利用者のＰ２Ｐネットワークへの貢献度に応じたポイントバックのサービスなどが実現できる。
【００１７】
次に、図２のシーケンス図を参照して、上記構成のシステムの動作について説明する。
【００１８】
ユーザＡは、ユーザ端末１ＡからＰ２Ｐネットワーク４を介して配信者端末２に、ユーザＡがオーナー登録した動物ａの映像配信を要求する（Ｓ１）。動物園の飼育係は、ユーザＡから動物ａの映像配信の要求があると、管理室の配信者端末２から無線ＬＡＮ５を介して、動物ａの飼育舎内に設置されたＷｅｂカメラ３ａをリモートコントロールして映像の送信を要求する（Ｓ２）。Ｗｅｂカメラ３ａは、無線ＬＡＮ５を介して飼育舎内の動物ａの映像データを送信する（Ｓ３）。配信者端末２がＷｅｂカメラ３ａから飼育舎内の動物ａの映像データを受信すると、飼育係は、その映像データを配信者端末２からＰ２Ｐネットワーク４を介してユーザ端末１Ａに配信する（Ｓ４）。
【００１９】
次に、ユーザＢは、ユーザ端末１ＢからＰ２Ｐネットワーク４を介して配信者端末２に、ユーザＢがオーナー登録した動物ｂの映像配信を要求する（Ｓ５）。動物園の飼育係は、ユーザＢから動物ｂの映像配信の要求があると、管理室の配信者端末２から無線ＬＡＮ５を介して、動物ｂの飼育舎内に設置されたＷｅｂカメラ３ｂをリモートコントロールして映像の送信を要求する（Ｓ６）。Ｗｅｂカメラ３ｂは、無線ＬＡＮ５を介して飼育舎内の動物ｂの映像データを送信する（Ｓ７）。配信者端末２がＷｅｂカメラ３ｂから飼育舎内の動物ａの映像データを受信すると、飼育係は、その映像データを配信者端末２からＰ２Ｐネットワーク４を介してユーザ端末１Ｂに配信する（Ｓ８）。
【００２０】
また、配信者端末２に移動端末を用いれば、飼育係は、配信者端末２を所持して、要求のあった動物の飼育舎に様子を見に行くこともできる。そして、飼育舎の近くから動物の映像にコメントを付して実況中継することもできる。
【産業上の利用可能性】
【００２１】
本発明は、コンシューマ向けのサーバレスなコミュニティ情報共有システム、大規模な掲示板システムとして利用できるだけではなく、企業においてもバーチャル組織での情報共有などさまざまな利用シーンが考えられる。例えば、専門性の高い知識の共有を目的とするプロフェッショナル・コミュニティ向けの情報共有・コミュニケーション基盤として利用できる。また、大規模コンテンツ配信を行うネットワーク基盤としても利用できる。
【図面の簡単な説明】
【００２２】
【図１】本発明のシステム構成図である。
【図２】本発明の動作を説明するシーケンス図である。
【符号の説明】
【００２３】
１Ａ，１Ｂ  ユーザ端末
２  配信者端末
３ａ，３ｂ  Ｗｅｂカメラ
４  Ｐ２Ｐネットワーク
５  無線ＬＡＮ
【図１】
2007259081.tif 000003
【図２】
2007259081.tif 000004